(57)【特許請求の範囲】
【請求項１】
スキャナからの入力画像をＬＡＮを介してファイルサーバ、パーソナルコンピュータヘ送信する画像入力システムにおいて、
上記スキャナが、
原稿からの画像を読取り画像データとして記憶する読取手段と、
無線カードからのIDコードを含む送信データを受信する受信手段と、
この受信手段により受信した送信データ内のID番号とあらかじめ記憶されているジョブ管理テーブルのID番号とを比較し、一致するID番号に対応する記憶内容として上記ジョブ管理テーブルからジョブの内容を読み出す読出し手段と、
このジョブの内容に対応した選択用のアイコンを表示する表示手段と、
この表示手段によりテキストファイル化の選択によりテキストモードを判断した際に、ディレクトリ管理テーブルから一致するID番号に対応する記憶内容として保存先ディレクトリのファイルサーバ、パーソナルコンピュータを読み出し、この認証が正しく行われたことと、その読み出した内容を表示し、上記画像データをＬＡＮを介して送信する第１の処理手段と、
上記表示手段によりワープロファイル化の選択によりワープロモードを判断した際に、ディレクトリ管理テーブルから一致するID番号に対応する記憶内容として保存先ディレクトリのファイルサーバ、パーソナルコンピュータを読み出し、この認証が正しく行われたことと、その読み出した内容を表示し、上記画像データをイメージデータからコードデータに変換した後、ＬＡＮを介して送信する第２の処理手段と、
上記表示手段によりメール送信の選択によりメールモードを判断した際に、上記読取手段による画像データの所定エリアに記載されている複数の宛先を判断し、上記読取手段による画像データの本文が記載されているエリアの内容をＬＡＮを介して対応する各宛先の保存先ディレクトリとしてのファイルサーバ、パーソナルコンピュータへ送信する第３の処理手段とを具備し
たことを特徴とする画像入力システム。
【請求項２】
スキャナからの入力画像をＬＡＮを介してファイルサーバ、パーソナルコンピュータヘ送信する画像入力システムにおいて、
上記スキャナが、
原稿からの画像を読取り画像データとして記憶する読取手段と、
無線カードからのIDコードを含む送信データを受信する受信手段と、
この受信手段により受信した送信データ内のID番号とあらかじめ記憶されているジョブ管理テーブルのID番号とを比較し、一致するID番号に対応する記憶内容として上記ジョブ管理テーブルからジョブの内容を読み出す第1の読出し手段と、
このジョブの内容に対応した選択用のアイコンを表示する表示手段と、
この表示手段によりテキストファイル化の選択によりテキストモードを判断する第1の判断手段と、
この第1の判断手段によりテキストモードを判断した際に、ディレクトリ管理テーブルから一致するID番号に対応する記憶内容として保存先ディレクトリのファイルサーバ、パーソナルコンピュータを読み出す第2の読出し手段と、
この第2の読出し手段により読み出した保存先ディレクトリとしてのファイルサーバ、パーソナルコンピュータへ上記画像データをＬＡＮを介して送信する第１の送信手段と、
上記表示手段によりワープロファイル化の選択によりワープロモードを判断する第２の判断手段と、
この第２の判断手段によりワープロモードを判断した際に、ディレクトリ管理テーブルから一致するID番号に対応する記憶内容として保存先ディレクトリのファイルサーバ、パーソナルコンピュータを読み出す第３の読出し手段と、
この第３の読出し手段により読み出した内容を表示し、上記画像データをイメージデータからコードデータに変換した後、ＬＡＮを介して送信する第２の送信手段と、
上記表示手段によりメール送信の選択によりメールモードを判断した際に、上記読取手段による画像データの所定エリアに記載されている複数の宛先を判断する第３の判断手段と、
上記読取手段による画像データの本文が記載されているエリアの内容をＬＡＮを介して、上記第3の判断手段により判断した各宛先の保存先ディレクトリとしてのファイルサーバ、パーソナルコンピュータへ送信する第３の送信手段とを具備し
たことを特徴とする画像入力システム。
【発明の詳細な説明】
【０００１】
【発明の属する技術分野】
この発明は、スキャナからの入力画像をＬＡＮ（ローカルエリアネットワーク）を介して、ファイルサーバやユーザのパーソナルコンピュータへ送信する画像入力システムおよび画像入力方法に関する。
【０００２】
【従来の技術】
近年、スキャナからの入力画像をＬＡＮ（ローカルエリアネットワーク）を介して、ファイルサーバやユーザのパーソナルコンピュータへ送信する画像入力システムが実用化されている。
【０００３】
上記スキャナは、複数のユーザが共有して使用するようになっている。このため、入力された画像情報がどのユーザが入力したものであるかを識別するために、たとえば、次のような方法が必要である。
【０００４】
１）方法：入力された画像情報をとりあえず共有ディレクトリ（アクセス権：すべてのユーザ）に送信・保存し、その後各ユーザが端末を操作するなどして自分の入力した文書を共有ディレクトリから各自のディレクトリ（アクセス権：そのユーザのみ）に移動する。
【０００５】
問題：画像情報が共有ディレクトリにある間は他のユーザからもアクセス可能であるため、重要文書を扱うときなどにセキュリティが確保できない。
２）方法：スキャナの操作パネルからユーザＩＤを入力する、あるいはスキャナにカードリーダを設けユーザのＩＤカードを読取らせるなどの方法でユーザを識別し、予め設定した各自のディレクトリに送信・保存する。
【０００６】
問題：コントロールパネルやカードリーダで余分な操作が必要になる。
３）方法：ユーザＩＤや保存先ディレクトリを記入した指示シートを入力画像に添付して入力し、指示シートを解釈してユーザを識別する。
【０００７】
問題：毎回指示シートが必要になる。ＯＣＲなど指示シートを解釈する機能が必要になる、あるいは解釈エラーで誤動作することも考えられる。
したがって、複数のユーザが使用するスキャナで画像を入力するとき、ユーザに余分な操作を要求したりあるいはセキュリティを低下させることなく、各ユーザの設定に応じた適切な処理を実行できるものが要望されている
【０００８】
【発明が解決しようとする課題】
上記したように、複数のユーザが使用するスキャナで画像を入力するとき、ユーザに余分な操作を要求したりあるいはセキュリティを低下させることなく、各ユーザの設定に応じた適切な処理を実行できるものが要望されているもので、複数のユーザが使用するスキャナで画像を入力するとき、ユーザに余分な操作を要求したりあるいはセキュリティを低下させることなく、各ユーザの設定に応じた適切な処理を実行できる画像入力システムおよび画像入力方法を提供することを目的とする。
【０００９】
【課題を解決するための手段】
この発明は、スキャナからの入力画像をＬＡＮを介してファイルサーバ、パーソナルコンピュータヘ送信する画像入力システムにおいて、上記スキャナが、原稿からの画像を読取り画像データとして記憶する読取手段と、無線カードからのIDコードを含む送信データを受信する受信手段と、この受信手段により受信した送信データ内のID番号とあらかじめ記憶されているジョブ管理テーブルのID番号とを比較し、一致するID番号に対応する記憶内容として上記ジョブ管理テーブルからジョブの内容を読み出す読出し手段と、このジョブの内容に対応した選択用のアイコンを表示する表示手段と、この表示手段によりテキストファイル化の選択によりテキストモードを判断した際に、ディレクトリ管理テーブルから一致するID番号に対応する記憶内容として保存先ディレクトリのファイルサーバ、パーソナルコンピュータを読み出し、この認証が正しく行われたことと、その読み出した内容を表示し、上記画像データをＬＡＮを介して送信する第１の処理手段と、上記表示手段によりワープロファイル化の選択によりワープロモードを判断した際に、ディレクトリ管理テーブルから一致するID番号に対応する記憶内容として保存先ディレクトリのファイルサーバ、パーソナルコンピュータを読み出し、この認証が正しく行われたことと、その読み出した内容を表示し、上記画像データをイメージデータからコードデータに変換した後、ＬＡＮを介して送信する第２の処理手段と、上記表示手段によりメール送信の選択によりメールモードを判断した際に、上記読取手段による画像データの所定エリアに記載されている複数の宛先を判断し、上記読取手段による画像データの本文が記載されているエリアの内容をＬＡＮを介して対応する各宛先の保存先ディレクトリとしてのファイルサーバ、パーソナルコンピュータへ送信する第３の処理手段とを有する。
【００１０】
この発明は、スキャナからの入力画像をＬＡＮを介してファイルサーバ、パーソナルコンピュータヘ送信する画像入力システムにおいて、上記スキャナが、原稿からの画像を読取り画像データとして記憶する読取手段と、無線カードからのIDコードを含む送信データを受信する受信手段と、この受信手段により受信した送信データ内のID番号とあらかじめ記憶されているジョブ管理テーブルのID番号とを比較し、一致するID番号に対応する記憶内容として上記ジョブ管理テーブルからジョブの内容を読み出す第1の読出し手段と、このジョブの内容に対応した選択用のアイコンを表示する表示手段と、この表示手段によりテキストファイル化の選択によりテキストモードを判断する第1の判断手段と、この第1の判断手段によりテキストモードを判断した際に、ディレクトリ管理テーブルから一致するID番号に対応する記憶内容として保存先ディレクトリのファイルサーバ、パーソナルコンピュータを読み出す第2の読出し手段と、この第2の読出し手段により読み出した保存先ディレクトリとしてのファイルサーバ、パーソナルコンピュータへ上記画像データをＬＡＮを介して送信する第１の送信手段と、上記表示手段によりワープロファイル化の選択によりワープロモードを判断する第２の判断手段と、この第２の判断手段によりワープロモードを判断した際に、ディレクトリ管理テーブルから一致するID番号に対応する記憶内容として保存先ディレクトリのファイルサーバ、パーソナルコンピュータを読み出す第３の読出し手段と、この第３の読出し手段により読み出した内容を表示し、上記画像データをイメージデータからコードデータに変換した後、ＬＡＮを介して送信する第２の送信手段と、上記表示手段によりメール送信の選択によりメールモードを判断した際に、上記読取手段による画像データの所定エリアに記載されている複数の宛先を判断する第３の判断手段と、上記読取手段による画像データの本文が記載されているエリアの内容をＬＡＮを介して、上記第3の判断手段により判断した各宛先の保存先ディレクトリとしてのファイルサーバ、パーソナルコンピュータへ送信する第３の送信手段とを有する。
【００１５】
【発明の実施の形態】
以下、この発明の実施形態について図面を参照して説明する。
図１は、この発明の画像入力システムを説明するための図である。この画像入力システムは、スキャナ部１とこのスキャナ部１とＬＡＮ（通信回線）２を介して接続されているファイルサーバ３、および複数台のパーソナルコンピュータ４、…とから構成されている。ファイルサーバ３は、ユーザ独自のデータあるいはユーザ共有のデータを格納するものである。パーソナルコンピュータ４は、ユーザが個人的に使用しているものである。
【００１６】
スキャナ部１は、近付いたユーザが所持している無線カードＭに基づいて認証を行い、この認証結果に基づいて原稿の読取り内容を、ＬＡＮ２を介してファイルサーバ３やパーソナルコンピュータ４に送信するものである。上記無線カードＭは、たとえばユーザの胸部のポケット等に挟持されている。
【００１７】
すなわち、スキャナ部１は、スキャナ部１の全体を制御する制御部１０が設けられている。この制御部１０には、無線カードＭとの間でデータのやり取り（送受信）を行う無線カードリーダ１１、制御プログラムが記憶されているとともに種々のテーブルを有するメモリ部１２、種々の操作案内を行う表示部１３ａとこの表示部１３ａに表示されているアイコンにより入力が行われるタッチパネル等からなる操作パネル１３、スピーカ等からなる電子音を発する音源部１４、原稿画像のイメージデータを読取る読取部１５、ワープロ文書等のイメージデータを文字コードの文書データに変換するイメージ−コード変換部１６、読取部１５により読取ったイメージデータを記憶する画像メモリ１７、およびＬＡＮ２を介してファイルサーバ３やパーソナルコンピュータ４に対してデータを出力するＬＡＮインターフェース１８が接続されている。
【００１８】
メモリ部１２は、ＩＤ番号ごとのジョブの内容が記憶されるジョブ管理テーブル１２ａと認証ファイルとしてのＩＤ番号ごとの保存先ディレクトリ等のユーザデータが記憶されるディレクトリ管理テーブル１２ｂとを有している。ジョブ管理テーブル１２ａには、図２に示すように、各ＩＤ番号ごとのジョブの内容として、たとえばテキストテキスト化、ワープロテキスト化、メール送信が記憶されている。ディレクトリ管理テーブル１２ｂには、図３に示すように、各ＩＤ番号ごとのユーザデータとしての所属、氏名、保存先ディレクトリ、保存先履歴が記憶されている。
【００１９】
このＩＤ番号、所属、氏名、保存先ディレクトリ、保存先履歴等は、あらかじめスキャナ部１の管理者が操作パネル１３のキー（図示しない）等を用いて設定するようになっている。
【００２０】
上記操作パネル１３の表示部１３ａには、図４に示すように、ジョブ（アイコン）の選択画面が表示されたり、図５に示すように、ＩＤ番号の認証時の認証ＯＫと、保存先ディレクトリと、他のディレクトリとを示す認証画面が表示されたりするようになっている。
【００２１】
上記表示部１３ａのアイコンは、操作パネル１３のカーソルキー（図示しない）により選択するようにしても良い。
上記読取部１５は、原稿載置台に載置された原稿を原稿載置台の下部の読取り手段の読取り走査により読取ったり、あるいは原稿挿入口からの原稿挿入に基づいて原稿を搬送しながら読取走査するものとなっている。原稿載置台に原稿が載置されるものは、操作パネル１３のスタートキー（図示しない）の投入により読取りが開始され、原稿の搬送により読取りが行われるものは、原稿の挿入口への挿入により読取りが開始されるようになっている。
【００２２】
上記原稿としては、ジョブがメールの場合に、図６に示すように所定領域にメールの複数の送信先（宛先）が記載されている。
制御部１０は、無線カードリーダ１１を用いて、常に無線カードＭに対する問合せ信号を送信しており、この問合せ信号に対する無線カードＭからの送信データを受信し、この受信した送信データによりこのスキャナ部１で扱える正当な無線カードＭであるか否かを判定するようになっている。
【００２３】
制御部１０は、正当な無線カードを判定した際に、送信データ内のＩＤ番号  （ユーザＩＤ）とメモリ部１２のジョブ管理テーブル１２ａのＩＤ番号とを比較し、一致するＩＤ番号があった場合に、そのＩＤ番号に対応するジョブの内容を読出し、この読出したジョブの内容に対応した選択用のアイコンを操作パネル１３内の表示部１３ａで表示するとともに、音源部１４により認証ＯＫを示す「ピ−」という電子音を発するようになっている。
【００２４】
制御部１０は、上記ジョブの選択に対して、テキストモード、ワープロモード、メールモード等を判断し、この判断したモードに対応した処理を行うようになっている。
【００２５】
また、制御部１０は、ジョブ管理テーブル１２ａに一致するＩＤ番号がなかった場合、送信データ内のＩＤ番号とメモリ部１２のディレクトリ管理テーブル１２ｂ内のＩＤ番号とを比較し、一致するＩＤ番号があった場合に、そのＩＤ番号に対応する所属、氏名、保存先ディレクトリ、保存先履歴を読出して表示部１３ａで表示するとともに、音源部１４により認証ＯＫを示す「ピ−」という電子音を発するようになっている。
【００２６】
上記無線カードＭは、図７に示すように、ＣＰＵ２０、メモリ２１、アンテナ２２、スイッチ２３、変調・復調部２４、入出力制御部２５、整流部２６、蓄電池２７などによって構成されている。これらのうちアンテナ２２、蓄電池２７を除く各部は集積回路化され無線カードＭの本体内に埋設されている。
【００２７】
ＣＰＵ２０は、無線カードＭの全体を制御するものである。メモリ２１は、制御プログラム等が記憶されているとともに、各種データの記憶に用いられるものであり、ＩＤ番号および無線カードＭを携帯するものの情報などが記憶される。アンテナ２２は、無線カードリーダ１１との間で電波による送受信を行うものである。スイッチ２３は、アンテナ２２を変調・復調部２４あるいは整流部２６に対して選択的に切換え接続するものであり、ＣＰＵ２０によって制御される。
【００２８】
変調・復調部２４は、送信信号を変調したり、受信信号の復調を行うものである。入出力制御部２５は、送信データを規定の信号に変換したり、復調された受信データを規定の信号に変換したりするものである。整流部２６は、アンテナ２０を介して受信した充電電波を整流して電気エネルギに変換しその電気エネルギによって蓄電池２７を充電するものである。蓄電池２７は各部に動作電圧を供給する動作電源であり、充電可能なものである。
【００２９】
上記無線カードリーダ１１は、図８に示すように、ＣＰＵ３０、メモリ３１、アンテナ３２、変調・復調部３３、入出力制御部３４などにより構成されている。
【００３０】
ＣＰＵ３０は、無線カードリーダ１１の全体を制御するものである。メモリ３１は、制御プログラム等が記憶されているとともに、各種データの記憶に用いられる。アンテナ３２は、無線カードＭとの間で電波による送受信を行うものである。変調・復調部３３は、送信信号を変調したり、受信信号の復調を行うものである。入出力制御部３４は、送信データを規定の信号に変換したり、復調された受信データを規定の信号に変換したりするものである。
【００３１】
次に、上記のような構成において、画像入力処理について、図９、図１０に示すフローチャートを参照しつつ説明する。
すなわち、制御部１０は無線カードリーダ１１から無線カードＭに対する問合せ信号を送信している、ユーザ待ちモードとなる（ＳＴ１）。
【００３２】
この状態で、胸部に無線カードＭを保持したユーザがスキャナ部１に接近し、無線カードＭと無線カードリーダ１１とが無線通信可能になる。
すると、無線カードＭは、問合せ信号を受信し、この受信に応答してメモリ２１に記憶されているＩＤ番号を含む送信データを無線カードリーダ１１に送信する。
【００３３】
無線カードリーダ１１が無線カードＭからの送信データを受信する（ＳＴ２）。
すると、無線カードリーダ１１はその送信データを制御部１０へ出力する。
【００３４】
制御部１０は送信データに基づいてこのスキャナ部１で扱える無線カードＭか否かを判断し（ＳＴ３）、扱える無線カードＭと判断した際、制御部１０は送信データ内のＩＤ番号とメモリ部１２のジョブ管理テーブル１２ａのＩＤ番号とを比較する（ＳＴ４）。
【００３５】
この比較の結果、一致するＩＤ番号がある場合、制御部１０はジョブ管理テーブル１２ａから上記ＩＤ番号に対応する記憶内容として、ジョブの内容を読出し（ＳＴ５）、表示部１３ａでそのジョブの内容に対応した選択用のアイコンを表示する（ＳＴ６）。
【００３６】
たとえば、図４に示すように、テキストファイル化、ワープロファイル化、メール送信のそれぞれの選択用のアイコンが表示される。
このとき、同時に、制御部１０は音源部１４を用いて認証ＯＫを示す「ピ−」という電子音を発し、ユーザに音にて認証されたことを知らせている（ＳＴ７）。
【００３７】
上記表示に応じて、テキストファイル化が選択キーにより選択された際、制御部１０はテキストモードと判断し（ＳＴ８）、ディレクトリ管理テーブル１２ｂから上記ＩＤ番号に対応する記憶内容として、所属、氏名、保存先ディレクトリ、保存先履歴を読出し（ＳＴ９）、表示部１３ａで認証が正しく行われたことと、その読出した内容を表示する（ＳＴ１０）。
【００３８】
たとえば、図５に示すように、「［９２０００１  開発部第１課  鈴木太郎さん］を認証しました。保存先ディレクトリは［￥￥ｐｃ ｓｕｚｕｋｉ￥ｔｍｐ］です。他のディレクトリ：１：￥￥ｐｃ ｓｕｚｕｋｉ￥ｔｍｐ  ２：￥￥ｐｃ ｓｕｚｕｋｉ￥ｄｏｃ  ３：￥￥ｓｖ ｋａｉｈａｔｓｕ￥ｋａ１￥ｓｕｚｕｋｉ￥ｄｏｃ」が表示される。
【００３９】
この表示時、選択キーにより他のディレクトリを選択するようにしても良い。この後、読取部１５により原稿が読取られ画像メモリに記憶された際に、制御部１０は、上記確認されたあるいは選択された保存先ディレクトリに基づいてＬＡＮインターフェース１８を制御することにより、画像メモリに記憶されている原稿の画像データ（イメージデータ）を、ＬＡＮ２を介して対応するファイルサーバ３あるいはパーソナルコンピュータ４へ送信する（ＳＴ１１）。
【００４０】
上記ステップ６の表示に応じて、ワープロファイル化が選択キーにより選択された際、制御部１０はワープロモードと判断し（ＳＴ１２）、上記ステップ９、１０が同様に行われることにより確認されたあるいは選択される保存先ディレクトリに基づいてＬＡＮインターフェース１８を制御することにより、読取部１５で読取って画像メモリ１７に記憶されている原稿の画像データ（イメージデータ）を、イメージ−コード変換部１６によりコードデータに変換した後（ＳＴ１３）、ＬＡＮ２を介して対応するファイルサーバ３あるいはパーソナルコンピュータ４へ送信する（ＳＴ１４）。
【００４１】
上記ステップ６の表示に応じて、メール送信が選択キーにより選択された際、制御部１０はメールモードと判断し（ＳＴ１５）、読取部１５で読取って画像メモリに記憶されている原稿の画像データ（イメージデータ）の所定エリアに記載されている複数の宛先を判断し（ＳＴ１６）、原稿の画像データ（イメージデータ）の本文が記載されているエリアの内容を画像メモリ１７から読出して、ＬＡＮ２を介して対応する各宛先のファイルサーバ３やパーソナルコンピュータ４へ送信する（ＳＴ１７）。
【００４２】
上記ステップ４による比較の結果、一致するＩＤ番号がない場合、制御部１０は送信データ内のＩＤ番号とメモリ部１２のディレクトリ管理テーブル１２ｂ内のＩＤ番号とを比較する（ＳＴ１８）。
【００４３】
この比較の結果、一致するＩＤ番号がない場合、制御部１０は図１１に示すように、表示部１３ａで「認証エラーです正しいカードを使用してください」という案内を行う（ＳＴ１９）。このとき、同時に、制御部１０は音源部１４を用いて認証エラーを示す「ピッピッピ−」という電子音を発し、ユーザに音にて認証エラーを知らせている（ＳＴ２０）。
【００４４】
上記ステップ１３の比較の結果、一致するＩＤ番号がある場合、制御部１０はディレクトリ管理テーブル１２ｂから上記ＩＤ番号に対応する記憶内容として、所属、氏名、保存先ディレクトリ、保存先履歴を読出し（ＳＴ２１）、表示部１３ａで認証が正しく行われたことと、その読出した内容を表示する（ＳＴ２２）。
【００４５】
たとえば、図５に示すように、「［９２０００１  開発部第１課  鈴木太郎さん］を認証しました。保存先ディレクトリは［￥￥ｐｃ ｓｕｚｕｋｉ￥ｔｍｐ］です。他のディレクトリ：１：￥￥ｐｃ ｓｕｚｕｋｉ￥ｔｍｐ  ２：￥￥ｐｃ ｓｕｚｕｋｉ￥ｄｏｃ  ３：￥￥ｓｖ ｋａｉｈａｔｓｕ￥ｋａ１￥ｓｕｚｕｋｉ￥ｄｏｃ」が表示される。
【００４６】
このとき、同時に、制御部１０は音源部１４を用いて認証ＯＫを示す「ピ−」という電子音を発し、ユーザに音にて認証されたことを知らせている（ＳＴ２３）。
【００４７】
この表示時、選択キーにより他のディレクトリを選択するようにしても良い。この後、読取部１５により原稿が読取られ画像メモリ１７に記憶された際に、制御部１０はテキストモードと判断し、上記確認されたあるいは選択された保存先ディレクトリに基づいてＬＡＮインターフェース１８を制御することにより、画像メモリ１７に記憶されている原稿の画像データ（イメージデータ）を、ＬＡＮ２を介して対応するファイルサーバ３あるいはパーソナルコンピュータ４へ送信する（ＳＴ２４）。
【００４８】
また、上記スキャナ部１での画像入力処理の途中で、ユーザの無線カードＭが認証可能な範囲を離れた場合、画像入力処理を中断せずに最後まで行うようになっている。これにより、ユーザの便を図ることができる。
【００４９】
また、無線カードを忘れた場合や無線カードの認証の調子が悪い場合、制御部１０はファイルサーバ３の共有ディレクトリに保存するようになっている。これにより、最低限の機能を果たすことができる。
【００５０】
上記したように、ユーザが携帯する無線カードのユーザ情報を読取ることでユーザを識別できるので、複数のユーザが使用するスキャナで画像を入力するとき、ユーザに余分な操作を要求したりあるいはセキュリティを低下させることなく、各ユーザの設定に応じた適切な処理を実行できる。たとえば、予め設定されたユーザそれぞれのディレクトリに送信・保存することができる。
【００５１】
また、ユーザが設定した保存先ディレクトリとともにそのユーザがそれまでに使用した保存先ディレクトリの履歴をコントロールパネルに表示して、その場でユーザが選択できるようにしているので、標準の保存先ディレクトリの他に、そのユーザが良く使用するディレクトリを容易に選択することができる。
【００５２】
また、ユーザを認証するとそのユーザが設定したテキストファイル化、ワープロファイル化、電子メール送信などジョブのフローがウィンドウズのアイコンの形で操作パネルの表示部に表示されるので、効率的なジョブ処理が可能になる。
【００５３】
また、ユーザＩＤの認証の結果をユーザに表示する操作パネルの表示部を用いて案内表示するとともに、音源部を用いて音声でユーザに認証の結果を知らせるようにしたものである。これにより、ユーザは認証の可否を明確に知ることができる。
【００５４】
なお、上記実施例では、ジョブの選択処理を行う場合について説明したが、これに限らず、ジョブの選択処理を行わずに、直接、ディレクトリ管理テーブルのＩＤ番号の比較処理に移行するようにしても良い。この場合、図９、図１０のフローチャートに示す画像入力処理の中で、ステップ４〜１７が削除され、ステップ３により扱える無線カードＭと判断した際に、ステップ１８に進む。
【００５５】
また、ディレクトリ管理テーブル１２ｂに保存先履歴が記憶されている場合について説明したが、図１２に示すように、ディレクトリ管理テーブル１２ｂに保存先履歴が記憶されていないようにしても良い。この場合、認証ＯＫ時、図１３に示すように、ＩＤ番号の認証時の認証ＯＫと、保存先ディレクトリからなる認証画面が表示される。
【００５６】
また、上記スキャナ部で行われている認証処理を、図１４に示すように、複数のスキャナ部４０、…とＬＡＮ４１を介して接続されている管理装置４２で一括して行うようにしても良い。この場合、認証用のディレクトリ管理テーブル（認証ファイル）は管理装置４２内のメモリ部２２ａに存在している。
【００５７】
すなわち、スキャナ部４０の無線カードリーダで読取られたＩＤ番号がＬＡＮ４１を通して管理装置４１に問合せられる。管理装置４１では上述したように認証処理が行われ、その結果がＬＡＮ４１を通して該当するスキャナ部４０に返される。
【００５８】
この様にすると、認証ファイルを集中して管理ができるので、仮に認証ファイルに変更が生じた場合でも、管理装置の認証ファイルのみ変更するだけで良く、複数のスキャナ部を容易に管理することができる。
【００５９】
すなわち、社員の異動などで認証情報を書き換える必要が生じた場合、すべてのスキャナ部の認証情報を書き換えて回る必要がなく、情報を一括管理している認証サーバとしての管理装置内の情報を書き換えるだけで良い。すべてのスキャナ部に対しての作業が必要なくなるので、書き換え作業の間違いの可能性が少なくなるだけでなく、管理者の負担を大きく軽減することができる。
【００６０】
【発明の効果】
以上詳述したように、この発明によれば、複数のユーザが使用するスキャナで画像を入力するとき、ユーザに余分な操作を要求したりあるいはセキュリティを低下させることなく、各ユーザの設定に応じた適切な処理を実行できる画像入力システムおよび画像入力方法を提供できる。
【図面の簡単な説明】
【図１】この発明の画像入力システムの概略構成を説明するための図。
【図２】メモリ部のジョブ管理テーブルの記憶例を示す図。
【図３】メモリ部のディレクトリ管理テーブルの記憶例を示す図。
【図４】表示部のジョブ（アイコン）の選択画面を示す図。
【図５】表示部の認証画面を示す図。
【図６】所定領域にメールの複数の送信先（宛先）が記載されている原稿の例を示す図。
【図７】無線カードの概略構成を示すブロック図。
【図８】無線カードリーダの概略構成を示すブロック図。
【図９】画像入力処理を説明するためのフローチャート。
【図１０】画像入力処理を説明するためのフローチャート。
【図１１】表示部の認証エラー画面を示す図。
【図１２】他の例におけるメモリ部のディレクトリ管理テーブルの記憶例を示す図。
【図１３】他の例における表示部の認証画面を示す図。
【図１４】他の例における画像入力システムの概略構成を説明するための図。
【符号の説明】
Ｍ…無線カード
１…スキャナ部
２…ＬＡＮ
３…ファイルサーバ
４…パーソナルコンピュータ
１０…制御部
１１…無線カードリーダ
１２…メモリ部
１２ａ…ジョブ管理テーブル
１２ｂ…ディレクトリ管理テーブル
１３…操作パネル
１３ａ…表示部
１４…音源部
１５…読取部
１６…イメージ−コード変換部
１７…画像メモリ
１８…ＬＡＮインターフェース
【図１】
0003883629.tif 000002
【図２】
0003883629.tif 000003
【図３】
0003883629.tif 000004
【図４】
0003883629.tif 000005
【図５】
0003883629.tif 000006
【図６】
0003883629.tif 000007
【図７】
0003883629.tif 000008
【図８】
0003883629.tif 000009
【図９】
0003883629.tif 000010
【図１０】
0003883629.tif 000011
【図１１】
0003883629.tif 000012
【図１２】
0003883629.tif 000013
【図１３】
0003883629.tif 000014
【図１４】
0003883629.tif 000015